(57)【要約】【課題】扁平形状の筒状体からなる毛髪保持具の内部に、毛髪束をスムーズに挿入又は挿通することができる毛髪挿入具を提供すること。【解決手段】一端の開口部Ｔ１から他端の開口部Ｔ２に向けて毛髪束Ｈを挿通可能にシートにより構成された扁平形状の筒状体からなる毛髪保持具Ｔの内部に、毛髪束Ｈを挿入又は挿通する毛髪挿入具であって、その一端部に毛髪束Ｈを係止し得る係止部３を備えており、毛髪束Ｈを係止して前記毛髪保持具Ｔの内部へ挿入された後に、その挿入方向の反対方向に戻るのを阻止する戻り阻止部５が設けられている。【選択図】    図２
2004261196.tif 000002
【特許請求の範囲】
【請求項１】
一端の開口部から他端の開口部に向けて毛髪束を挿通可能にシートにより構成された扁平形状の筒状体からなる毛髪保持具の内部に、毛髪束を挿入又は挿通する毛髪挿入具であって、
その一端部に毛髪束を係止し得る係止部を備えており、
毛髪束を係止して前記毛髪保持具の内部へ挿入された後に、その挿入方向の反対方向に戻るのを阻止する戻り阻止部が設けられている毛髪挿入具。
【請求項２】
前記戻り阻止部は、前記毛髪挿入具の一部で形成されてなる請求項１記載の毛髪挿入具。
【請求項３】
前記毛髪挿入具の最大外周長が、前記毛髪保持具の横断面の内周長の０．７〜１．０倍である請求項１又は２記載の毛髪挿入具。
【請求項４】
前記係止部は、毛髪束を挟持固定し得るようになしてある請求項１〜３の何れかに記載の毛髪挿入具。
【請求項５】
前記毛髪挿入具は、板状部材からなり、前記係止部は、該板状部材の長手方向に延びる波状に形成されたスリットであり、
前記戻り阻止部は、前記板状部材の他端部近傍の一部で形成されてなり、該板状部材の他端部が前記毛髪保持具の他端の開口部から抜け出た後に該板状部材がその挿入方向の反対方向に戻ろうとすると、該毛髪保持具の他端の開口部の縁部に係止し得るようになされている請求項４記載の毛髪挿入具。
【請求項６】
前記毛髪挿入具は、板状部材からなり、前記係止部は、該板状部材の長手方向に並列して延びる直線状に形成された複数本のスリットであり、
前記戻り阻止部は、前記板状部材の他端部近傍の一部で形成されてなり、該板状部材の他端部が前記毛髪保持具の他端の開口部から抜け出た後に該板状部材がその挿入方向の反対方向に戻ろうとすると、該毛髪保持具の他端の開口部の縁部に係止し得るようになされている請求項４記載の毛髪挿入具。
【請求項７】
前記毛髪挿入具は、板状部材からなり、前記戻り阻止部は、該板状部材の幅方向の両側縁部それぞれに形成された複数個の凸部からなる請求項２〜４の何れかに記載の毛髪挿入具。
【請求項８】
前記毛髪挿入具は、板状部材からなり、前記係止部の内側に該板状部材の他端部に向けて立設した櫛歯が形成されている請求項７記載の毛髪挿入具。
【発明の詳細な説明】
【０００１】
【発明の属する技術分野】
本発明は、一端の開口部から他端の開口部に向けて毛髪束を挿通可能にシートにより構成された扁平形状の筒状体からなる毛髪保持具の内部に、毛髪束を挿入又は挿通する毛髪挿入具に関する。
【０００２】
【従来の技術及び発明が解決しようとする課題】
特開平１０−１９２０３６号公報には、筒状体からなる毛髪巻取具（毛髪保持具）の内部に毛髪を挿入する毛髪取込具（毛髪挿入具）が記載されている。この毛髪取込具は、棒状体の端部に毛髪を包囲可能な環部または鉤状部が一体成形されてなり、環部または鉤状部の内側全面又は一部が毛髪を梳き得る櫛状になっているものである。
前記毛髪取込具によれば、その環部に毛髪を挿通・係止させた後、その状態で該毛髪取込具を毛髪巻取具内に挿通することにより、毛髪を毛髪巻取具内に挿通することができる。
【０００３】
しかし、前記毛髪取込具では、毛髪を毛髪巻取具内に挿通している途中において、毛髪を毛髪巻取具内に取り込む際に生じる反力で該毛髪取込具に毛髪巻取具への挿入方向とは反対方向の力が加わり、毛髪取込具を毛髪巻取具にスムーズに挿通又は挿入し難い。また、毛髪束を毛髪巻取具内に取込む場合、毛髪束と毛髪取込具の係止部（環部又は鉤状部）をそれぞれの手で抑えるため、毛髪巻取具が毛髪取込具からズレ落ちてしまい、毛髪巻取具の操作を簡単に行うことが出来ない。
【０００４】
従って、本発明の目的は、扁平形状の筒状体からなる毛髪保持具の内部に、毛髪束をスムーズに挿入又は挿通することができる毛髪挿入具を提供することにある。
【０００５】
【特許文献１】
特開平１０−１９２０３６号公報
【０００６】
【課題を解決するための手段】
本発明は、一端の開口部から他端の開口部に向けて毛髪束を挿通可能にシートにより構成された扁平形状の筒状体からなる毛髪保持具の内部に、毛髪束を挿入又は挿通する毛髪挿入具であって、その一端部に毛髪束を係止し得る係止部を備えており、毛髪束を係止して前記毛髪保持具の内部へ挿入された後に、その挿入方向の反対方向に戻るのを阻止する戻り阻止部が設けられている毛髪挿入具を提供することにより前記目的を達成したものである。
【０００７】
【発明の実施の形態】
以下、本発明の毛髪挿入具を、その好ましい一実施形態である第１実施形態について、図１〜図３を参照して説明する。
本実施形態の毛髪挿入具１は、図１〜図３に示すように、一端の開口部Ｔ１から他端の開口部Ｔ２に向けて毛髪束Ｈを挿通可能にシートにより構成された扁平形状の筒状体からなる毛髪保持具Ｔの内部に、毛髪束Ｈを挿入又は挿通する毛髪挿入具であって、その一端部に毛髪束Ｈを係止し得る係止部３を備えており、毛髪束Ｈを係止して前記毛髪保持具Ｔの内部へ挿入された後に、その挿入方向の反対方向に戻るのを阻止する戻り阻止部５が設けられている。
【０００８】
本実施形態の毛髪挿入具１について更に詳述する。
本実施形態の毛髪挿入具１は、図１に示すように、細長板状で、他端近傍が先細状に形成された板状部材２からなる。板状部材２は、硬質の合成樹脂シートや金属板等から形成され、本実施形態では、硬質の合成樹脂シートで形成されている。
【０００９】
前記係止部３は、図１に示すように、前記板状部材２の長手方向に延びる波状に形成されたスリットである。そのため、前記係止部３は、毛髪束Ｈを挟持固定し得るようになっている。
また、板状部材２における一端部近傍には、係止部３の端部と連続する略矩形状の切り抜き部４が形成されている
【００１０】
前記戻り阻止部５は、図１に示すように、前記板状部材２（毛髪挿入具１）の他端部近傍の一部で形成されてなり、図３に示すように、該板状部材２の他端部が前記毛髪保持具Ｔの他端の開口部Ｔ２から抜け出た後に該板状部材２がその挿入方向の反対方向に戻ろうとすると、該毛髪保持具Ｔの他端の開口部Ｔ２の縁部に係止し得るようになされている。詳述すると、戻り阻止部５は、板状部材２の他端部近傍をコ字状に切断し、コ字状に切断した部分を該他端部にめくり上げて形成されている。
また、前記毛髪挿入具１の最大外周長は、前記毛髪保持具Ｔの横断面の内周長以下であれば良く、強度や操作性に応じて適宜選択できる。
【００１１】
次に、本発明の毛髪挿入具の第１実施形態の一使用態様について、図１及び図２を参照しながら説明する。
先ず、図１（ｂ）に示すように、波状スリットからなる係止部３を少し開き、係止部３の間に毛髪束Ｈを挟持し、固定する。
このように毛髪束Ｈが固定された状態の本実施形態の毛髪挿入具１を、図２（ａ）〜（ｃ）に示すように、板状部材２の他端部から毛髪保持具Ｔの一端の開口部Ｔ１へ挿入し、他端の開口部Ｔ２から抜き出す。
【００１２】
このようにして毛髪挿入具１を毛髪保持具Ｔを一端の開口部Ｔ１から他端の開口部Ｔ２に挿通させると、図２（ｃ）に示すように、毛髪束Ｈの先端が毛髪保持具Ｔの他端の開口部Ｔ２から少しはみ出た状態となる。然る後、毛髪保持具Ｔを巻回する等して、毛髪束に所定の巻きぐせを付与することができる。
尚、必ずしも、毛髪束Ｈの先端を毛髪保持具Ｔの他端の開口部Ｔ２からはみ出させる必要はない。また、毛髪束には、明確には束になっていないが、ある程度の本数の毛髪がまとまっているものを含む。
【００１３】
本実施形態の毛髪挿入具１によれば、前述の手順で毛髪束Ｈをスムーズに毛髪保持具Ｔの内部に挿通できる。その際、毛髪束Ｈを毛髪保持具Ｔ内に取り込む場合には、まず毛髪束Ｈと毛髪挿入具１の係止部３をそれぞれの手で抑えるため、毛髪保持具Ｔが毛髪挿入具１からズレ落ちないようにする必要があるところ、本実施形態の毛髪挿入具１では、図３に示すように、板状部材２の他端部近傍に形成された戻り阻止部５が毛髪保持具Ｔの他端の開口部Ｔ２の縁部に引っ掛かり、毛髪挿入具１から毛髪保持具Ｔがズレ落ちる事を防止できる。そのため、毛髪挿入具１と毛髪保持具Ｔとの一体性が高く、特に一人の作業者による操作性が格段に向上する。
【００１４】
また、毛髪束Ｈが波状スリットからなる係止部３に挟持され、固定されているため、毛髪束Ｈを係止部３にセットした後、毛髪束Ｈを毛髪保持具Ｔ内に取り込んでいる途中で係止部３から毛髪束Ｈがずれ落ち難く、位置ずれが起こらなくなり操作性が向上する。
本実施形態の毛髪挿入具１は、一端の開口部Ｔ１が高剛性を有する毛髪保持具Ｔと組み合わせて使用すると、毛髪保持具Ｔのずれ防止効果が向上し、更に好ましい。
【００１５】
次に、本発明の毛髪挿入具の他の実施形態について説明する。これらの実施形態については、第１実施形態と異なる点についてのみ説明し、特に説明しない点については、第１実施形態に関する説明が適宜適用される。そして、他の実施形態の毛髪挿入具においても、第１実施形態の毛髪挿入具と同様に、毛髪束をスムーズに毛髪保持具の内部に挿通できる。
【００１６】
本発明の第２実施形態の毛髪挿入具は、図４（ａ）に示すように、係止部３が、板状部材２の長手方向に並列して延びる直線状に形成された複数本（２本）のスリットである。それ以外の構成については、第１実施形態と同様である。
本実施形態の毛髪挿入具１においては、図４（ｂ）に示すように、２本のスリットからなる係止部３の一方から他方に亘って毛髪束Ｈを挿通し、毛髪束Ｈを係止部３に係止し固定することができる。このように毛髪束Ｈが固定された状態の本実施形態の毛髪挿入具１も、第１実施形態と同様の使用態様により、毛髪束Ｈを毛髪保持具Ｔに挿通することができ、同様の効果を得ることができる。
【００１７】
本発明の第３実施形態の毛髪挿入具は、図５に示すように、板状部材２が、その一端部に毛髪束Ｈを係止し得る係止部６を備えており、毛髪束Ｈの係止された前記板状部材２を毛髪保持具Ｔの内部へ挿入した後に、該板状部材２がその挿入方向の反対方向に戻るのを阻止する戻り阻止部７が、前記板状部材２に設けられている。また、係止部６の内側に板状部材２の他端部に向けて立設した櫛歯６１が形成されており、戻り阻止部７は、板状部材２の幅方向の両側縁部それぞれに形成された複数個の凸部７からなる。
【００１８】
本実施形態の毛髪挿入具１について詳述する。
板状部材２は、図５に示すように、毛髪保持具の内面の幅より若干狭い幅を有する細長板状である。板状部材の長手方向中央部の両面には、板状部材２よりも厚みを有する肉厚部２１が形成されている。板状部材２の一端部には、枠状の係止部６が形成されており、係止部６の内周面のうち板状部材２の幅方向の一辺に、複数本の前記櫛歯６１が形成されている。
板状部材２の幅方向の両側縁部には、係止部３に向けて拡開する形状を有する凸部７が複数個形成されている。
【００１９】
このように構成された本実施形態の毛髪挿入具１によれば、図５（ｂ）に示すように、毛髪束Ｈを係止部６に挿通し、櫛歯６１に係止することができ、その状態で、筒状体からなる毛髪保持具（図示せず）の内部に挿通することにより、毛髪束Ｈを容易に毛髪保持具内に挿通することができる。
本実施形態の毛髪挿入具１によれば、毛髪束Ｈを毛髪保持具内に取り込む際に生じる反力で板状部材２に毛髪保持具への挿入方向とは反対方向の力が加わっても、凸部７が毛髪保持具の内周面に引っ掛かり、戻り難い。
【００２０】
本発明の毛髪挿入具において、該毛髪挿入具１の最大外周長は、前記毛髪保持具Ｔの横断面の内周長の０．７〜１．０倍であると好ましい。毛髪挿入具の最大外周長が毛髪保持具の横断面の内周長の０．７倍の場合、毛髪挿入具に対して毛髪保持具をたくしあげることによって、接触面積や摩擦が増大し、ズレ落ちを防止できる。更には、毛髪保持具の長さが毛髪挿入具の長さよりも極端に長くなるものも使用できる。毛髪挿入具の最大外周長が毛髪保持具の横断面の内周長の１．０倍の場合、毛髪保持具の最大伸び寸法の破断しないものまで使用できる。本発明の毛髪挿入具において、「毛髪挿入具の最大外周長」とは、実質的に毛髪保持具が止まる機能を有する箇所の寸法と定義する。
【００２１】
本発明の毛髪挿入具及び毛髪保持装置は、前述した実施形態に制限されることなく、本発明の趣旨を逸脱しない限り、適宜変更が可能である。
本発明の毛髪挿入具は、前述した実施形態のような板状部材からなるものに制限されず、円形断面の部材、三角形断面の部材、四角形以上の多角形の部材からなるものでもよい。
板状部材２の係止部３は、図６に示すように、板状部材２の一端部から直線状に延びる１本のスリットからなり、板状部材２の一端部には、線材からなる外れ防止部材８が形成された構成とすることができる。
【００２２】
図６に示す形態の毛髪挿入具１によれば、スリットからなる係止部３の間に毛髪束Ｈを挿通し、係止・固定することができ、第２実施形態と同様に用いることができる。外れ防止部材８は、毛髪保持具内への挿入の際に係止部３から毛髪束Ｈが外れてしまったときに、その毛髪束Ｈを外れ防止部材８で引っ掛け、毛髪束Ｈが毛髪挿入具１から完全に脱落することを防止する役割をなす。
戻り阻止部５は、図７に示すように、板状部材２の他端部を屈曲させることにより形成することもできる。
また、係止部３は、図８に示すように、略矩形状に形成することもできる。
【００２３】
【発明の効果】
本発明の毛髪挿入具によれば、扁平形状の筒状体からなる毛髪保持具の内部に、毛髪束をスムーズに挿入又は挿通することができる。
【図面の簡単な説明】
【図１】図１は、本発明の毛髪挿入具の第１実施形態を示す正面図で、（ａ）は使用前の状態を示す図、（ｂ）は係止部に毛髪束を係止させた状態を示す図である。
【図２】図２は、本発明の毛髪挿入具の第１実施形態の一使用態様を示す図で、（ａ）、（ｂ）及び（ｃ）は、それぞれ毛髪挿入具の毛髪保持具への挿通手順を順次示す正面図である。
【図３】図３は、本発明の毛髪挿入具の第１実施形態を示す図で、板状部材の戻り阻止部が毛髪保持具の他端の開口部の縁部に係止している状態を示す正面図である。
【図４】図４は、本発明の毛髪挿入具の第２実施形態の係止部近傍を示す図で、（ａ）は使用前の状態を示す図、（ｂ）は係止部に毛髪束を係止させた状態を示す図である。
【図５】図５は、本発明の毛髪挿入具の第３実施形態を示す正面図で、（ａ）は使用前の状態を示す図、（ｂ）は係止部に毛髪束を係止させた状態を示す図である。
【図６】図６は、本発明の毛髪挿入具の実施形態の一部を変更した実施形態を示す正面図で、（ａ）は使用前の状態を示す図、（ｂ）は係止部に毛髪束を係止させた状態を示す図である。
【図７】図７は、本発明の毛髪挿入具の実施形態の一部を変更した実施形態を示す側面図である。
【図８】図８は、本発明の毛髪挿入具の実施形態の一部を変更した実施形態を示す正面図である。
【符号の説明】
１  毛髪挿入具
２  板状部材
２１  肉厚部
３、６  係止部
４  切り抜き部
５、７  戻り阻止部
６１  櫛歯
Ｈ  毛髪束
Ｔ  毛髪保持具
Ｔ１  一端の開口部
Ｔ２  他端の開口部
【図１】
2004261196.tif 000003
【図２】
2004261196.tif 000004
【図３】
2004261196.tif 000005
【図４】
2004261196.tif 000006
【図５】
2004261196.tif 000007
【図６】
2004261196.tif 000008
【図７】
2004261196.tif 000009
【図８】
2004261196.tif 000010